(57)【要約】【課題】身近な人に広く見てもらえるよう誰でもが気軽に作品を残すことができ、いざという時に、編集した思い出作品集として安価に配付できることになる思い出作品集の編集サービス方法を提供する。【解決手段】顧客の依頼に基づいて、顧客から取り寄せた家族員の時々に作られた絵、書、版画、工作、写真等の作品や、使用していた思い出の品物等をデジカルカメラやスキャナーで撮り、コンピュータにより主に画像とコメントからなるデータとしてコンピュータで編集し、そのデータを格納した記録媒体、またはデータをプリントした作品の絵本、枝折り等を顧客に、身近な関係者への贈り物として渡すことを特徴とする。【選択図】　　図１
2004038352.tif 000002
【特許請求の範囲】
【請求項１】
顧客の依頼に基づいて、顧客から取り寄せた家族員の時々に作られた絵、書、版画、工作、写真等の作品や、使用していた思い出の品物等をデジカルカメラやスキャナーで撮り、コンピュータにより主に画像とコメントからなるデータとしてコンピュータで編集し、そのデータを格納した記録媒体、またはデータをプリントした作品の絵本、枝折り等を顧客に、身近な関係者への贈り物として渡すことを特徴とする思い出作品集の編集サービス方法。
【請求項２】
顧客から注文を受けて完成した思い出作品集を身近な関係者に渡す手段が、その関係者へ直に、または本として編集した思い出作品集のＣＤを渡した顧客自身により配信する電子メールであることを特徴とする請求項１記載の思い出作品集の編集サービス方法。
【請求項３】
顧客から注文を受けて完成した思い出作品集をホームページ上に公開し、若くはホームページ上に公開可能に顧客に対してＣＤ−ＲＯＭを提出し、その公開画面から第三者が思い出作品集の編集の注文をなし得るようにすることを特徴とする請求項１記載の思い出作品集の編集サービス方法。
【請求項４】
作品の取り寄せについて、家族員の時々に作られた作品を個別的に順次受け取り、コンピュータの記憶装置またはＣＤにデータとして保存し、必要な時に編集して思い出作品集を作成することを特徴とする請求項１、２または３記載の思い出作品集の編集サービス方法。
【発明の詳細な説明】
【０００１】
【発明の属する技術分野】
この発明は、家族の一員としての生活記録を収録した思い出作品集の編集サービス方法に関する。
【０００２】
【従来の技術】
家族の一員として人が誕生してからは、入学式、卒業式、成人式、結婚式等の様々な節目を経て最後に葬式となる。そのうち、学校生活の思い出作品集は、学校において保存されていた様々な写真を業者が卒業アルバムとして編集し、それが卒業する学生に配付されてきたが、家族の一員としての生活記録は、写真であると単にアルバムに納められているだけであって、卒業式や成人式等の人生の節目に関係者に思い出作品集として配付されることはなかった。
【０００３】
人生の節目として最も大きな結婚式の場合であっても、新郎新婦の経歴が紹介されることはあっても、これまでに至った記録となる写真の思い出作品集が編集されて招待客に配付されることはほとんどなかった。それは業者に依頼すると編集に手数を要するために支払う経費がかかることに加え、いざという時に式の日取りや仕度に多忙を極めることによるものと考えられる。
【０００４】
冠婚葬祭等の式行事は、形式的であって盛大さを競われるが、祝ったり弔う対象が個人であるので、その個人の足跡をたどることのできる思い出作品集が式当日に配付されるならば、本当の意味で式に盛り上がりができ、招待客に満足が得られるものと考えられる。
【０００５】
【発明が解決しようとする課題】
この発明は、上記のような実情に鑑みて、身近な人に広く見てもらえるよう誰でもが気軽に作品を残すことができ、いざという時に、編集した思い出作品集として安価に配付できることになる思い出作品集の編集サービス方法を提供することを目的とした。
【０００６】
【課題を解決するための手段】
上記の目的を達成するために、この発明は、顧客の依頼に基づいて、顧客から取り寄せた家族員の時々に作られた絵、書、版画、工作、写真等の作品や、使用していた思い出の品物等をデジカルカメラやスキャナーで撮り、コンピュータにより主に画像とコメントからなるデータとしてコンピュータで編集し、そのデータを格納した記録媒体、またはデータをプリントした作品の絵本、枝折り等を顧客に、身近な関係者への贈り物として渡すことを特徴とする思い出作品集の編集サービス方法を提供するものである。
【０００７】
【作用】
上記の構成によれば、作品をデジカルカメラやスキャナーで撮り、コンピュータで編集することになるので、手数がかかることがなく、主人公の足跡をたどり得るよう自由自在で心のこもった内容となる編集が可能であり、顧客から作品を受けてから手早く思い出作品集を渡すことができる。
【０００８】
【発明の実施の形態】
次に、図面に基づいてこの発明の実施の形態を説明する。
【０００９】
編集業者１は、顧客２，２，・・からの注文を受けることによって編集に取りかかる。この場合、顧客２は小学校を卒業する子を持つ親であるとする。親はこれまで授業や家庭で子供が書いてきた作品を整理し、卒業記念として思い出作品集を作ることを思い立ち編集業者１に作品を提出する。その顧客２をＡさん、Ｂさん、Ｃさんとする。
【００１０】
作品は、子供が絵筆を取った絵や書、彫った版画、子供が作った工作等である。付属的に子供を撮った写真や子供の語り音声を添えることもある。いずれにも、思い出となるコメントを記載しておくことが望ましいので、顧客２に対してはその記載内容を要望しておく。作品の取り寄せは、訪問、持ち込み、郵送等であって、編集業者１はそれをデジタルカメラやスキャナーで撮り、コンピュータに入力して編集する。また、電子メールで写真を送ってもらうようにして同様に編集することもできる。
【００１１】
編集の形態については様々となるが、子供が成長する過程が分かるようにする。これを思い出作品集とするには、ＣＤ−ＲＯＭに収録する、絵本とする、枝折りとする、等である。ＣＤの収録についても、その再生画面が恰も絵本や枝折りとして見ることになるよう、分かりやすくレイアウトするのが良いと思われる。
【００１２】
顧客２がＡさんの場合、その要望によりＣＤ−ＲＯＭ、或いは本、若くは両方として渡す。それらには絵、書、工作、写真、使用していた思い出の品物などが収録されている。思い出作品集は、例えば図２に示すように、美術館若くは思い出集となっている。それを顧客Ａさんに直に手渡し或いは送付する。または作品などが収録されているＣＤによってＡさん自身がＰＣを使用し、ＣＤの中から作品を抽出し若くは全部を身近な関係者Ｄａ，Ｄｂ，Ｄｃに電子メールで送ることができる。または注文者Ａさんの要望によって編集業者１が直にその関係者Ｄａ，Ｄｂ，Ｄｃに配信することもある。なお、図２において、５は挨拶文、７は子供の写真である。
【００１３】
次に、顧客２がＢさんの場合であって、絵や写真、文章等を編集業者１に送り、それを編集して編集業者１が手作り絵本をＣＤ−ＲＯＭとして顧客２に渡した。顧客２は、それを近親者等の宛て先Ｅａ，Ｅｂ，Ｅｃに郵送する。また、ホームページで公開することもできる。次に、ホームページ上での公開に基づいて編集業者１が注文を受ける場合について説明する。
【００１４】
顧客から注文を受けた編集業者１は、自己のコンピュータにより編集するので、顧客２の要望に基づいてそれをホームページ（Ｗｅｂページ）上に公開する。また、ＣＤ−ＲＯＭで渡された顧客２がそれを基にホームページに公開することもできる。いずれにしても、この公開画面を閲覧した第三者Ｇａ，Ｇｂ，Ｇｃは、その編集に好感したときには、自分も同じように思い出作品集の編集を求めるときがあり、その場合に備えて、公開画面には、注文の要領を記載しておき、それに基づいて注文を受ける。なお、注文を受けると第三者は顧客２の立場となる。
【００１５】
注文の要領については、注文者の住所、氏名、電話番号、電子メールアドレス等の他、注文の種類や内容、要望、それに対する費用等であり、それらの記載欄と、送信ボタンが設けられる。図１は、Ｂさんもそのようにして顧客２の立場になり、注文に応じて編集業者１が提出したＣＤ−ＲＯＭによりホームページに公開したことを示す。
【００１６】
顧客２がＣさんの場合であると、結婚式において、招待客に新郎または新婦の足跡をたどる思い出作品集を納めた枝折りを配付する場合を想定したもので、絵、書、写真等を編集業者１が顧客２から受け、それを編集してＡ３程度の用紙で枝折りが作られる。招待客Ｆａ，Ｆｂ，Ｆｃは、それを会場で開いて見て、新郎新婦の人柄にほうふつと触れることになるので、結婚式が形式的とならず心のこもった盛り上がりを見せることになる。葬儀の場合も同様にすることにより、故人の人柄をしのぶことができる。
【００１７】
以上は、顧客２から注文があると、直ぐに編集に取りかかることになる場合であるが、子供の誕生以降のいずれかの時点、例えば幼稚園の入学当時に、顧客２と契約することにより、顧客２に作品ができたときに順次それを編集業者１に送ってもらうようになし、編集業者１は、それをコンピュータの記録媒体またはＣＤ等にその都度収録し、卒業式や冠婚葬祭等のいざというときに編集して上記のように関係者に渡すようにしても良い（請求項３）。そうすれば、作品の蓄積により、冠婚葬祭等の必要な時に準備万端となっているので好都合である。
【００１８】
また、このような作品の蓄積をする場合としては、編集業者１においてホストコンピュータを設置しておき、顧客２がそのＷｅｂページにアクセスし、ＵＲＬにより指定された自己のフォルダに作品をデータとして順次格納できるようにしておいても良い。
【００１９】
【発明の効果】
以上説明したように、この発明によれば、手慣れた業者に作品を渡すことにより、業者がコンピュータを駆使して編集をするので、身近な人に広く見てもらえるよう誰でもが気軽に作品を残すことができ、冠婚葬祭を迎えるときや、卒業式や成人式等を迎えるいざという思い立った時に、主人公について編集した思い出作品集として関係者に安価に配付できることになるという優れた効果がある。
【００２０】
【図面の簡単な説明】
【図１】この発明の思い出作品集の編集サービス方法を示すフローチャートである。
【図２】この発明の思い出作品集の編集サービス方法によるＣＤ再生の一例の一画面を示す説明図である。
【符号の説明】
１　編集業者
２　顧客
Ｄａ，Ｄｂ，Ｄｃ　送信宛て先としての身近な関係者
Ｅａ，Ｅｂ，Ｅｃ　郵送宛て先としての身近な関係者
Ｆａ，Ｆｂ，Ｆｃ　招待客としての身近な関係者
Ｇａ，Ｇｂ，Ｇｃ　第三者
【図１】
2004038352.tif 000003
【図２】
2004038352.tif 000004